(57)【要約】【課題】  陳列商品に対する照明に趣向を凝らすことによって購買意欲の向上に貢献できるオープンショーケースを提供する。【解決手段】  蛍光ランプ２４は光出射口２２ａを上面に有するケース２２内に収容されていて、しかも、照明器２１は棚板１１（棚板本体１２）の後部に配されているため、棚板１１（棚板本体１２）上に商品Ｃを陳列した状態で蛍光ランプ２４を点灯させると、蛍光ランプ２４から発せられた光はケース２２上面に設けられた光出射口２２ａから上向きに出射し、光出射口２２ａから上向きに出射した光ＥＬは図中太線矢印で示すような進路で伝搬し、陳列商品Ｃの後側から陳列商品Ｃの上側部分に主として光ＥＬが照射される。【選択図】  図５
2005087628.tif 000002
【特許請求の範囲】
【請求項１】
前面を開口した商品陳列室を有するキャビネットと、商品陳列室内に上下に間隔をおいて設けられた複数の棚板と、棚板上に陳列される商品を照明するための照明器とを備えたオープンショーケースであって、
照明器は、光出射口を上面に有するケースと、ケース内に収容された光源とを具備し、
該照明器は棚板の後部に配され、ケース上面の光出射口から上向きに出射される光によって照明器よりも前側に陳列された商品をその後側から照明し得る、
ことを特徴とするオープンショーケース。
【請求項２】
照明器の高さ位置を調整するための機構をさらに備える、
ことを特徴とする請求項１に記載のオープンショーケース。
【請求項３】
光出射口には該光出射口を覆う透光板が着脱自在に取り付けられている、
ことを特徴とする請求項１または２に記載のオープンショーケース。
【発明の詳細な説明】
【技術分野】
【０００１】
本発明は、店舗内等において商品陳列に使用されるオープンショーケースに関する。
【背景技術】
【０００２】
この種のオープンショーケースは、一般に、前面を開口した商品陳列室を有するキャビネットと、商品陳列室内に上下に間隔をおいて設けられた複数の棚板とを備えており、各棚板上には飲食物等の商品が整理して陳列される。オープンショーケースの中でも冷蔵商品や冷凍商品の陳列を目的としたオープンショーケースは商用電源により稼働する冷凍装置をキャビネット内に備えていて、蒸発器で冷却された空気を棚板の後側から棚板上の商品に送り込むことで陳列商品の冷蔵または冷凍を行う。また、温蔵商品の陳列を目的としたオープンショーケースは電熱ヒータを内蔵した棚板を備えていて、電熱ヒータを発熱させることで陳列商品の温蔵を行う。
【０００３】
前記のオープンショーケースには、棚板上に陳列された商品を照明するための照明器を備えたものが存在する。この照明器は蛍光ランプ等の光源とその反射板とから成り、光源からの直射光及び反射板による反射光を陳列商品に照射することで照明を行う。詳しくは、最上段の棚板上の陳列商品を照明するための照明器はその上側に位置するキャビネット天板の下面前部に配置され、他の棚板上の陳列商品を照明するための照明器はその上側に位置する棚板の下面前部に配置されており、何れも棚板上の陳列商品をその上側から照明する。
【０００４】
前記のような照明方式は基本的には各棚板上の前側に陳列された商品が暗くなって商品イメージが損なわれることを防止するためのものであるが、同商品が店舗内照明によって十分な照度を得られる状況下では商品照明が過剰となる恐れがある。
【０００５】
一方、前記とは異なる照明方式を提案するものとして、実開昭５７−１５３９９１号公報が知られている。同公報には、冷蔵・冷凍用のオープンショーケースにおいて、各棚板の後側に存する壁に水平方向の溝を設けてこの溝内に照明器を設け、棚板上の陳列商品をその後側から照明するようにした構成が開示されている。
【特許文献１】実開昭５７−１５３９９１号公報
【発明の開示】
【発明が解決しようとする課題】
【０００６】
前記公報に開示された照明方式では、店舗内照明との関係において商品照明が過剰となることを改善できる利点はあるものの、購買者から照明器が直接見えてしまうために見栄えが低下すると共に、照明器からの直射光が購買者の視野に入って購入の妨げになる不具合がある。さらに、照明器の位置が予め決められているため、陳列商品の種類等に応じて棚板位置を上下に変更すると、棚板と照明器との位置関係がずれて所期の照明が行えなくなる不具合もある。
【０００７】
本発明は前記事情に鑑みて創作されたもので、その目的とするところは、陳列商品に対する照明に趣向を凝らすことによって購買意欲の向上に貢献できるオープンショーケースを提供することにある。
【課題を解決するための手段】
【０００８】
前記目的を達成するため、本発明は、前面を開口した商品陳列室を有するキャビネットと、商品陳列室内に上下に間隔をおいて設けられた複数の棚板と、棚板上に陳列される商品を照明するための照明器とを備えたオープンショーケースであって、照明器は、光出射口を上面に有するケースと、ケース内に収容された光源とを具備し、該照明器は棚板の後部に配され、ケース上面の光出射口から上向きに出射される光によって照明器よりも前側に陳列された商品をその後側から照明し得る、ことをその特徴とする。
【０００９】
このオープンショーケースによれば、光源は光出射口を上面に有するケース内に収容されていて、しかも、照明器は棚板の後部に配されているため、棚板上に商品を陳列した状態で光源を点灯させると、光源から発せられた光はケース上面に設けられた光出射口から上向きに出射し、光出射口から上向きに出射した光は陳列商品の後側から陳列商品の上側部分に主として照射される。
【００１０】
棚板上に陳列された商品の間には微小な隙間が存在し、且つ、商品の上側にも隙間が存在することから、前記のように陳列商品の後側から陳列商品の主として上側部分に照射された光は商品間の隙間及び商品上の隙間を通過して前方に伝搬され、これにより、陳列商品はその後側から全体的に軟らかく照らされ、奥行きが十分に感じられる独特な視覚効果が得られる。つまり、前記照明作用によって購買者に対し今までない印象及び面白みを感じさせて、陳列商品の販売促進に貢献することができる。
【発明の効果】
【００１１】
本発明によれば、陳列商品に対する照明に趣向を凝らすことによって購買意欲の向上に大きく貢献することができる。
【００１２】
本発明の前記目的とそれ以外の目的と、構成特徴と、作用効果は、以下の説明と添付図面によって明らかとなる。
【発明を実施するための最良の形態】
【００１３】
図１は本発明を適用したオープンショーケースの側面図、図２は図１のａ−ａ線断面図、図３は図１及び図２に示した棚板の斜視図である。
【００１４】
このオープンショーケースは冷蔵商品や冷凍商品の陳列を目的としたものであり、キャビネット１の上部には前面を開口した商品陳列室２が設けられている。この商品陳列室２は、キャビネット１の金属製背面板３の前側に間隔をおいて設けられた金属製のダクト板４と、背面板３の左右両端縁から前方に延びる１対の側面板５と、ダクト板４の上端縁から前方に延びる金属製の天板６と、ダクト板４の下端縁から前方に延びる金属製の底板７によって画成された略直方体形状の空間から成る。
【００１５】
ダクト板４には吹出孔（図子省略）が後述する各棚板１１に対応して形成されると共に、後述する取付板１６の係合片１６ａを差し込んで引っ掛けるための取付孔（図子省略）が上下方向に複数形成されている。また、両側面板５は、金属製の不透明板５ａとプラスチック製の透明板５ｂとを組み合わせて構成されており、その周囲には金属枠５ｃが設けられている。さらに、天板６の前側部分は前端が下側に湾曲した金属製の不透明板６ａから成り、不透明板６ａの前部内側には直管型蛍光ランプ８及びそのソケット（図子省略）が横向きに配置されている。さらに、底板７の前部には吸気孔７ａが形成されている。
【００１６】
また、キャビネット１の下部には機械室が設けられており、この機械室内には冷凍装置を構成する圧縮機，凝縮器，膨張手段，蒸発器及び送風機等のうち蒸発器を除く機器が収容され、蒸発器９は前記背面板３と前記ダクト板４との間に画成されたダクト（符号無し）内に収容されている。つまり、図１〜図３に示したオープンショーケースでは、蒸発器９で冷却された空気をダクト板４の吹出孔を通じて各棚板１１の後側から棚板１１上の商品Ｃに送り込むことで陳列商品Ｃの冷蔵または冷凍を行うことができ、また、商品冷却後の空気を底板７の吸気孔７ａを通じて取り込んで蒸発器９に送り込むことで冷却空気の循環を行うことができる。
【００１７】
前記の商品陳列室２内には、複数（図中は３個）の棚板１１が上下に間隔をおいて設けられている。この棚板１１は、図３に示すように、左右中央が最も張り出すように湾曲した前端縁を有する金属製の棚板本体１２と、棚板本体１２の左右両側縁から上方に延びる金属製の１対の側面壁１３と、棚板本体１２の後端縁から上方に延びる金属製の背面壁１４と、棚板本体１２の前端縁から上方に延びる湾曲した前面壁１５と、棚板本体１２の左右両側縁に前記側面壁１３と連なって設けられた１対の取付板１６とから構成されている。
【００１８】
背面壁１４の左右両側には後述する照明器２１を取り付ける際に使用されるネジ挿入孔１４ａが上下方向に等間隔で複数（図中は３個）設けられている（図４（Ａ）参照）。また、前面壁１５は透明或いは半透明のプラスチック板から成り、棚板本体１２の前端縁形状に合わせて全体が湾曲している。さらに、前面壁１５の下部１５ａは２重になっていてその隙間１５ａは、商品名や冷温状態や他の情報を提供するための表示プレート１７の差し込み口として利用される。さらに、両取付板１６の後端には、ダクト板４に形成された取付孔に差し込んで引っ掛けるための係合片１６ａが複数（図中は３個）形成されており、各棚板１１は両取付板１６の係合片１６ａをダクト板４の取付孔に差し込んで引っ掛けることによって商品陳列室２内の所定位置に配置されている。
【００１９】
前記の棚板１１のうち最上段の棚板１１を除く２個の棚板１１には、棚板１１の後部に照明器２１が配置されている。この照明器２１は、図３及び図４（Ａ）に示すように、光出射口２２ａを上面に有する横長箱状のケース２２と、ケース２２の左右内面に設けられた一対の蛍光ランプ用ソケット２３と、一対のソケット２３に取り付けられた直管型蛍光ランプ２４とから構成されている。
【００２０】
ケース２２の後側両端には折り返し部分２２ｂが設けられ、両折り返し部分２２ｂにはネジ穴２２ｂ１が前記ネジ挿入孔１４ａの上下間隔と同じ間隔で２個宛形成されている。先に述べたように棚板１１の背面壁１４の左右両側に計３個のネジ挿入孔１４ａが上下方向に等間隔で設けられているため、照明器２１は図４（Ａ）に示す高さ位置と図４（Ｂ）に示す高さ位置に選択的に取り付けることができる。何れも場合も照明器２１を棚板１１に取り付けるに際しては、止めネジ２５を背面壁１４のネジ挿入孔１４ａに背面側から差し込み、この止めネジ２５をケース２２のネジ穴２２ｂ１にねじ込めばよい。
【００２１】
以下に、図５及び図６を引用して前述のオープンションショーケースにおける陳列商品の照明について説明する。
【００２２】
前記照明器２１は図４（Ａ）に示す高さ位置と図４（Ｂ）に示す高さ位置に選択的に取り付けることが可能であり、棚板１１（棚板本体１２）上に背丈の低い商品を陳列する場合には図４（Ａ）に示す高さ位置が望ましく選択され、棚板１１（棚板本体１２）上に背丈の高さ商品を陳列する場合や棚板本体１２として電熱ヒータを内蔵したものを使用するに際し蛍光ランプ２４及びソケット２３を温熱から保護する必要が生じた場合等には図４（Ｂ）に示す高さ位置が望ましく選択される。
【００２３】
先に述べたように光源である蛍光ランプ２４は光出射口２２ａを上面に有するケース２２内に収容されていて、しかも、照明器２１は棚板１１（棚板本体１２）の後部に配されているため、図５及び図６に示すように、棚板１１（棚板本体１２）上に商品Ｃを陳列した状態で蛍光ランプ２４を点灯させると、蛍光ランプ２４から発せられた光はケース２２上面に設けられた光出射口２２ａから上向きに出射し、光出射口２２ａから上向きに出射した光ＥＬは図中太線矢印で示すような進路で伝搬し、照明器２１の高さ位置が低い図５の場合には陳列商品Ｃの後側から陳列商品Ｃの略中間から上側の部分に主として光ＥＬが照射され、照明器２１の高さ位置が高い図６の場合にはこれよりも若干高い位置に主として光ＥＬが照射される。
【００２４】
何れの場合も、棚板１１（棚板本体１２）上に陳列された商品Ｃの間には微小な隙間が存在し、且つ、商品Ｃの上側にも隙間が存在することから、前記のように陳列商品Ｃの後側から陳列商品Ｃの主として上側部分に照射された光は商品Ｃ間の隙間及び商品Ｃ上の隙間を通過して前方に伝搬され、これにより、陳列商品Ｃはその後側から全体的に軟らかく照らされ、奥行きが十分に感じられる独特な視覚効果が得られる。つまり、前記照明作用によって購買者に対し今までない印象及び面白みを感じさせて、陳列商品Ｃの販売促進に貢献することができる。勿論、棚板１１（棚板本体１２）上の最前列の商品Ｃは店舗内照明によっても照明されるため、同商品Ｃが暗くなって商品イメージが損なわれることはない。
【００２５】
とりわけ、透明または半透明の飲料が入ったペットボトル入り飲料を商品Ｃとして陳列する場合には、陳列商品Ｃの後側から照射された光ＥＬはペットボトル及び飲料自体を光伝搬媒体として前方に導かれ、また、非透明の飲料が入ったペットボトル入り飲料を商品Ｃとして陳列する場合には、陳列商品Ｃの後側から照射された光はペットボトルを光伝搬媒体として前方に導かれるため、前記の視覚効果はより深みのあるものとなり、購買者が受ける印象及び面白みもより向上する。
【００２６】
また、蛍光ランプ２４がケース２２によって覆われていて購買者側から蛍光ランプ２４が直視できないようになっているので、購買者の視野に蛍光ランプ２４が入ることによる見栄えの低下を生じることもなく、照明器２１からの直射光が購買者の視野に入って購入の妨げになるといった不具合を生じることもない。
【００２７】
さらに、照明器２１が棚板１１に取り付けられているので、陳列商品の種類等に応じて棚板１１の位置を上下に変更しても前記同様の照明作用を得ることができる。
【００２８】
以下に、図７を引用して前述のオープンションショーケースにおける陳列商品の視野角について説明する。
【００２９】
先に述べたように棚板１１の棚板本体１２は左右中央が最も張り出すように湾曲した前端縁を有し、且つ、棚板本体１２の前端縁から上方に延びる湾曲した前面壁１５を有することから、図７に示すように、棚板１１（棚板本体１２）上に商品Ｃを陳列するときには最前列の商品Ｃを前壁１５に沿って弧状に並べることができ、これにより、棚板本体１２の前端縁及び前壁１５が直線的に構成された棚板１１を用いる場合に比べて、購買者が陳列商品Ｃを視認できる角度範囲（視野角）θを拡大することができる。つまり、オープンショーケースの近くを通過しようとする者の視野に陳列商品Ｃが入る機会及び陳列商品Ｃに引き付ける作用を向上させて、陳列商品Ｃの販売促進に貢献することができる。
【００３０】
尚、前述の実施形態では、棚板１１の背面壁１４に計３個のネジ挿入孔１４ａを設けたものを示したが、図８（Ａ）及び図８（Ｂ）に示すように、ネジ挿入孔１４ｂを縦長の孔から構成すれば、照明器２１をネジ挿入孔１４ｂで規定される上下範囲の任意の位置に取り付けることができる。依って、商品Ｃの背丈に応じて照明器２１の高さ位置を任意に変更することができると共に陳列商品Ｃに対する照明を陳列商品Ｃの種類等に応じて微調整することができる。
【００３１】
また、前述の実施形態では、照明器２１として光出射口２２ａを上面に有するケース２２を用いたものを示したが、ケース２２内に塵埃等が侵入すること及び蛍光ランプ２４に塵埃等が付着することを防止するために、図９に示すように、光出射口２２ａに該光出射口２２ａを覆う透光板２５を着脱自在に取り付けるようにしてもよい。透光板２５として光の散乱作用を有するもの、例えば表面凹凸を有する透明板或いは半透明板等を用いれば、前記の照明をより柔らかなものとすることができる。また、透光板２５として着色されたものを用いれば照明光として任意の色光を使用することもできる。
【００３２】
さらに、前述の実施形態では、照明器２１として直管型蛍光ランプ２４を光源として使用したものを示したが、ボール型等の他種の蛍光ランプの他に白熱電球等を光源として使用しても構わないし、また、使用する光源の形態に合わせてケース２２を複数個並設するようにしてもよい。
【図面の簡単な説明】
【００３３】
【図１】本発明を適用したオープンショーケースの側面図である。
【図２】図１のａ−ａ線断面図である。
【図３】図１及び図２に示した棚板の斜視図である。
【図４】照明器の高さ位置を調整するための機構を示す棚板の部分断面図である。
【図５】照明器を図４（Ａ）に示す高さ位置に取り付けた場合の照明の様子を示す図である。
【図６】照明器を図４（Ｂ）に示す高さ位置に取り付けた場合の照明の様子を示す図である。
【図７】陳列商品の視野角を示す図である。
【図８】照明器の高さ位置を調整するための機構の変形例を示す図である。
【図９】照明器の光出射口に透光板を設けた例を示す図である。
【符号の説明】
【００３４】
１…キャビネット、２…商品陳列室、１１…棚板、１４…背面壁、１４ａ，１４ｂ…ネジ挿入孔、２１…照明器、２２…ケース、２２ａ…光出射口、２２ｂ１…ネジ穴、２４…蛍光ランプ、２５…透光板、Ｃ…商品、ＥＬ…光。
【図１】
2005087628.tif 000003
【図２】
2005087628.tif 000004
【図３】
2005087628.tif 000005
【図４】
2005087628.tif 000006
【図５】
2005087628.tif 000007
【図６】
2005087628.tif 000008
【図７】
2005087628.tif 000009
【図８】
2005087628.tif 000010
【図９】
2005087628.tif 000011